(57)【要約】【課題】パワーアンプの熱を効率的に放散し、装置がアンテナ本体側から落下した場合でも回路基板にその衝撃が直接加わらないようにし、かつ防水性を向上させて、信頼性を高める。【解決手段】熱を発生するパワーアンプ１１を裏面に実装した回路基板８を、四方に側壁を有して一方の面を開放した箱型のシャシー１５に内側に取り付け、このシャシー１５の開放した面を覆うように箱型のフロントケース１を被せてねじ２１により固定する。また、フロントケース１内の底面に形成された凹溝６内にシールリング７を装着して、シャシー１５の各側壁の端面で押圧する。また、アンテナコネクタ３を剛体であるシャシー１５に防水パッキン１８を介して直接取り付け、アンテナコネクタ３と回路基板８とは接片９により電気的導通を図る。【選択図】　図２
2004088227.tif 000002
【特許請求の範囲】
【請求項１】
電子部品を実装した回路基板と、四方に側壁を有して一方の開放した面に前記回路基板が取り付けられる箱型形状のシャシーと、四方に側壁を有して前記シャシーの開放した面を外側から覆う箱型形状のフロントケースと、前記フロントケース内の底面の周囲に形成された凹溝内に装着されて、前記シャシーの各側壁の端面により押圧されるシールリングとを備えた携帯無線装置。
【請求項２】
前記シャシーの一方の側壁に形成された少なくともアンテナコネクタを固定するための取付穴と、前記取付穴に防水パッキンを介して取り付けられるアンテナコネクタと、前記回路基板に固定されて前記アンテナコネクタの端子に接触可能なばね性を有する接片と、前記フロントケースの前記シャシーの側壁に対向する側壁に形成された少なくとも前記アンテナコネクタを露出させるための開口とを備えた請求項１記載の携帯無線装置。
【請求項３】
アンテナコネクタが取り付けられる前記シャシーの側壁の外側に形成された凸起と、前記フロントケースの前記シャシーの側壁に対向する側壁の内側に形成されて前記凸起に係合する凹溝とを備え、前記シャシーと前記フロントケースとの結合を、前記凸起と凹溝の係合およびねじによるねじ止めの両方により行うことを特徴とする請求項１または２記載の携帯無線装置。
【請求項４】
前記シャシーの長手方向に沿う両側壁の基部外側に側壁端面方向に向けて突出形成された係合部と、前記フロントケースの対向する両側壁の内側部分に前記係合部とは逆向きに突出形成されて前記係合部と噛み合う被係合部とを備えたことを特徴とする請求項１から３のいずれかに記載の携帯無線装置。
【請求項５】
前記フロントケースの側壁を含む内面全体に導電膜層を備えたことを特徴とする請求項１から４のいずれかに記載の携帯無線装置。
【発明の詳細な説明】
【０００１】
【発明の属する技術分野】
本発明は、アンテナやスイッチ等がケースの外側に露出する構造を有するトランシーバー、携帯電話などの携帯無線装置に関する。
【０００２】
【従来の技術】
図５に示すように、従来のこの種の携帯無線装置は、フロントケース１０１とその背面の電池パック１０２とで外観が構成され、フロントケース１０１の上端面にはアンテナコネクタ１０３およびボタンスイッチ１０４が露出している。アンテナコネクタ１０３にはアンテナ本体（ロッドアンテナ）がねじ結合により接続される。
【０００３】
図６はこの携帯無線装置の分解斜視図を示している。フロントケース１０１は、その内部の４隅にそれぞれねじ穴を有する取付ボス１０５が形成され、その上端部の後方にせり出した部分には、アンテナコネクタ１０３用の開口１０６およびボタンスイッチ１０４用の開口１０７を有する凹面１０１ａが形成されている。この凹面１０１ａには、ゴム製の防水パッキン１０８が嵌め込まれて固定、または嵌め込まれて接着固定される。この防水パッキン１０８には、アンテナコネクタ１０３用のシールボス１０８ａおよびボタンスイッチ１０４用のキャップ１０８ｂが形成されている。また、防水パッキン１０９の上からは、押えプレート１０９が嵌め込まれて固定、または嵌め込まれて接着固定される。この押えプレート１０９には、アンテナコネクタ１０３用の通し穴１０９ａおよびボタンスイッチ１０４用の通し穴１０９ｂが形成されている。フロントケース１０１内に収容される回路基板１１０は、その表面にアンテナコネクタ１０３およびボタンスイッチ１０４、その他の電子部品が実装されるとともに、回路基板１１０の裏面には、無線送信時に必要となるパワーアンプ１１１が半田付けで実装されている。この回路基板１１０は、２箇所の取付穴１１２と４隅の４箇所の取付穴１１３を有し、２箇所の取付穴１１２を介してねじ１１４によりシャシー１１５の表面に固定される。シャシー１１５の周囲には凹溝１１５ａが形成され、この凹溝１１５ａにゴム製のシールリング１１６が嵌め込まれる。このようにして組み立てたシャシー１１５は、回路基板１１０のアンテナコネクタ１０３およびボタンスイッチ１０４をフロントケース１０１の開口１０６、１０７にそれぞれ通して、回路基板１１０をフロントケース１０１内に収容した後、シャシー１１５の４箇所の取付穴１１７にねじ１１８を通してフロントケース１０１の取付ボス１０５のねじ穴にねじ込むことにより、フロントケース１０１に組み立てられる。
【０００４】
図７はこのようにして組み立てられた従来の携帯無線装置の縦断面を示している。パワーアンプ１１１は、シャシー１１５の表面に接触しているので、携帯無線装置使用時にパワーアンプ１１１から発生する熱は、シャシー１１５を通じて放散され、携帯無線装置の内部の温度上昇を防止している。また、フロントケース１０１内部への水の浸入は、シャシー１１５の周囲に形成された凹溝１１５ａ内に装着されたシールリング１１６が、フロントケース１０１の周壁内面に接触することにより防止されている。また、アンテナコネクタ１０３の周辺は、フロントケース１０１上端部の防水パッキン１０８のシールボス１０８ａが、開口１０６とアンテナコネクタ１０３との間に挟み込まれることにより、水の浸入が防止されている。
【０００５】
【発明が解決しようとする課題】
しかしながら、上記従来の携帯無線装置では、シャシー１１５が金属製の１枚の平板形状であるため、またシャシー１１５の背面には電池パック１０２が装着されるため、パワーアンプ１１１からの熱を十分に空気中に放散させることができず、携帯無線装置内部の温度が高くなり、信頼性が低下するという問題があった。
【０００６】
また、アンテナコネクタ１０３の先端にアンテナ本体（図示しない）が接続され、フロントケース１０１の背面に電池パック１０２を装着した携帯無線装置の使用状態において、携帯端末装置が誤ってアンテナ本体側から落下した場合、その衝撃がアンテナ本体からアンテナコネクタ１０３に加わり、アンテナコネクタ１０３と回路基板１１０との半田付け接合部に割れや亀裂が生じて、信頼性が低下するという問題があった。
【０００７】
また、携帯無線装置の使用時における振動や誤って落下させてしまった場合に、電池パック１０２が、フロントケース１０１の周壁を外側に押し広げてしまうことがあり、シールリング１１６による防水機能が損なわれて、信頼性が低下するという問題があった。さらに、フロントケース１０１の周壁が外側に開いてしまう結果、その周壁の端面と電池パック１０２との間に段差ができて外観的な品質が悪くなるという問題があった。
【０００８】
本発明は、このような従来の問題を解決するもので、携帯無線装置のパワーアンプの熱を効率的に放散し、装置がアンテナ本体側から落下した場合でも回路基板にその衝撃が直接加わらないようにし、かつ防水性を向上させて、信頼性を高めた携帯無線装置を提供することを目的とする。
【０００９】
【課題を解決するための手段】
上記目的を達成するために、本発明の携帯無線装置は、電子部品を実装した回路基板と、四方に側壁を有して一方の開放した面に前記回路基板が取り付けられる箱型形状のシャシーと、四方に側壁を有して前記シャシーの開放した面を外側から覆う箱型形状のフロントケースと、前記フロントケース内の底面の周囲に形成された凹溝内に装着されて、前記シャシーの各側壁の端面により押圧されるシールリングとを備えたものである。この構成により、電子部品から発生する熱をシャシーの各側壁からフロントケースの各側壁を通じて外部の空気中に効率的に放散できるとともに、携帯無線装置の落下等によりフロントケースの側壁が開いても、フロントケース内の底部に配置されたシールリングにより、シャシーとフロントケースとの間の防水を効果的に維持することができ、装置の信頼性を向上させることができる。
【００１０】
また、本発明の携帯無線装置は、前記シャシーの一方の側壁に形成された少なくともアンテナコネクタを固定するための取付穴と、前記取付穴に防水パッキンを介して取り付けられるアンテナコネクタと、前記回路基板に固定されて前記アンテナコネクタの端子に接触可能なばね性を有する接片と、前記フロントケースの前記シャシーの側壁に対向する側壁に形成された少なくとも前記アンテナコネクタを露出させるための開口とを備えたものである。この構成により、携帯無線装置がアンテナ本体側から落下した場合でも、アンテナコネクタがシャシーに直接固定されていてアンテナコネクタと回路基板とは接片を通じて導通しているので、アンテナコネクタの衝撃が回路基板に加わることによる亀裂等の発生を防止することができ、信頼性を高めることができる。
【００１１】
また、本発明の携帯無線装置は、前記アンテナコネクタが取り付けられる前記シャシーの側壁の外側に形成された凸起と、前記フロントケースの前記シャシーの側壁に対向する側壁の内側に形成されて前記凸起に係合する凹溝とを備え、前記シャシーと前記フロントケースとの結合を、前記凸起と凹溝の係合およびねじによるねじ止めの両方により行うことを特徴とするものである。この構成により、シャシーをフロントケースにねじ止めする個所を少なくすることができ、構造が簡略化されて、部品点数および製造、組立工数を削減することができる。
【００１２】
また、本発明の携帯無線装置は、前記シャシーの長手方向に沿う両側壁の基部外側に側壁端面方向に向けて突出形成された係合部と、前記フロントケースの対向する両側壁の内側部分に前記係合部とは逆向きに突出形成されて前記係合部と噛み合う被係合部とを備えたことを特徴とするものである。この構成により、シャシーとフロントケースを組み立てた時に両側壁に形成された係合部と被係合部との噛み合いにより防水性を高めることができる。また、携帯無線装置の使用時や落下時において、電池パックがフロントケースの側壁を外側に押し広げようとする力が加わっても、食い違い状の噛み合いによりシャシーが外側に開くのを防止することができ、電池パックの側面との合わせ面に段差が生じることがなくなり、外観的な品質を維持することができる。
【００１３】
また、本発明の携帯無線装置は、前記フロントケースの側壁を含む内面全体に導電膜層を備えたことを特徴とするものである。この構成により、導電性のシャシーとフロントケースの導電膜層とで携帯無線装置内部を密閉状にシールドすることができ、携帯無線装置内部の回路基板から発生する電磁波ノイズが外部に漏れるのを防止することができる。
【００１４】
【発明の実施の形態】
以下、本発明の実施の形態について図面を参照して説明する。
（実施の形態１）
図１は本発明の実施の形態１における携帯無線装置の構成を示す分解斜視図であり、図２はその縦断面図である。装置全体の外観は図５に示した従来例とほぼ同様である。図１および図２において、フロントケース１は、絶縁性樹脂材料により箱型形状に成形され、その底部１ａの４箇所にそれぞれねじ穴２ａを有する取付ボス２が形成されている。フロントケース１の四方の側壁のうち、上端部の側壁１ｂには、アンテナコネクタ３用の開口４およびボタンスイッチ用の開口５が形成されている。また、フロントケース１内の底部１ａの周囲には、凹溝６が環状に形成され、この凹溝６内に導電ゴム製のシールリング７が装着されている。一方、回路基板８の表面には、アンテナコネクタ３の端子３ｃに接触可能なばね性を有する接片９とボタンスイッチ１０、その他の電子部品が実装され、回路基板８の裏面には、無線送信時に必要となるパワーアンプ１１が半田付けで実装されている。この回路基板８は、２箇所の取付穴１２と４隅の４箇所の取付穴１３を有し、２箇所の取付穴１２を介してねじ１４によりシャシー１５の内側に固定される。シャシー１５は、四方に側壁を有するアルミダイカスト製の箱型形状に形成されているが、導電性を有すれば非金属材料を用いてもよい。シャシー１５の上端部の側壁１５ａの外側には、アンテナコネクタ３を固定するためのねじ穴１６およびボタンスイッチ１０用の通し穴１７を有する凹面１５ｂが形成されている。この凹面１５ｂには、アンテナコネクタ３用のシールボス１８ａおよびボタンスイッチ１０用のキャップ１８ｂを有するゴム製の防水パッキン１８が嵌め込まれて接着固定される。アンテナコネクタ３は、中間部にフランジ３ａを有する円筒状に形成され、内周部にはアンテナ本体（ロッドアンテナ）が結合される雌ねじが形成され、外周胴部３ｂには雄ねじが形成され、外周胴部３ｂの端部には電気接続のための端子３ｃが突出している。
【００１５】
次に、本実施の形態における携帯無線装置の組み立てについて説明する。まず防水パッキン１８をシャシー１５の凹面１５ｂに嵌め込まれて固定、または嵌め込まれて接着固定した後、防水パッキン１８のシールボス１８ａにアンテナコネクタ３の外周胴部３ｂを挿入し、シャシー１５のねじ穴１６にねじ込んでシャシー１５に固定する。次に、必要な部品を実装された回路基板８をシャシー１５の中に納め、ねじ１４を取付穴１２を介してシャシー１５の取付ボス１９のねじ穴にねじ込む。次に、シールリング７をフロントケース１の凹溝６に装着した後、回路基板８を取り付けたシャシー１５を、防水パッキン１８から突出するアンテナコネクタ３およびキャップ１８ｂをそれぞれフロントケース１の開口４、５に挿入しながらフロントケース１内に納め、ねじ２１をシャシー１５のボス穴２０、回路基板８の取付穴１３を通して、フロントケース１の取付ボス２のねじ穴２ａにねじ込む。これにより、シャシー１５の４つの側壁の外面がフロントケース１の４つの側壁の内面に接触するとともに、シャシー１５の４つの側壁の端面がシールリング７を押圧するので、フロントケース１とシャシー１５との間の防水が施される。また、フロントケース１の開口４とアンテナコネクタ３との間の防水が防水パッキン１８により施される。また、アンテナコネクタ３の端子３ｃが接片９を通じて回路基板８に接続され、回路基板８裏面のパワーアンプ１１はシャシー１５に接触する。そして、組立完成品では、シャシー１５の裏側に電池パック２２が取り付けられる。
【００１６】
このように、本実施の形態１によれば、パワーアンプ１１が四方に側壁を有するシャシー１５に接触しているので、パワーアンプ１１から発生した熱は、シャシー１５の四方の側壁からフロントケース１の各側壁を通じて外部の空気中に放散され、装置内部の温度が所定値よりも上昇するのを防止することができる。また、携帯無線装置使用時において、アンテナコネクタ３にアンテナ本体（図示しない）を装着し、シャシー１５の背面に電池パック２２を装着した状態で、誤ってアンテナ本体から落下した場合でも、アンテナコネクタ３がシャシー１５のねじ穴１６にねじ結合されているため、アンテナ本体から伝わる衝撃は、堅牢性の高い金属または非金属性のシャシー１５で受けて回路基板８には伝わらないので、回路基板８に亀裂等が発生することがない。また、携帯無線装置の落下等によりフロントケース１の側壁が開いても、シールリング７がフロントケース１内の底部の凹溝６内に装着されているので、防水機能が低下することがなく、シャシー１５とフロントケース１との間の防水を確実なものとすることができる。
【００１７】
（実施の形態２）
次に、本発明の実施の形態２について説明する。本実施の形態２における携帯無線装置は、上記実施の形態１に示した携帯無線装置と基本的な構成は同様であるので、同様な構成要素には同じ符号を付して重複した説明は省略し、異なる部分についてのみ説明する。
【００１８】
図３は本実施の形態２における携帯無線装置の縦断面を示し、シャシー１５のアンテナコネクタ３が取り付けられる側壁１５ａの外側には、部分的に凸起２３が形成され（図１に符号２３で示す）、この側壁１５ａに対向するフロントケース１の側壁１ｂの内側には、凸起２３に係合する凹溝２４が形成されている。シャシー１５をフロントケース１に組み立てる際には、この凸起２３を凹溝２４に嵌め込み、反対側の２箇所において、ねじ２１をフロントケース１の取付ボス２のねじ穴２ａにねじ込んで組み立てる。
【００１９】
このように、本実施の形態２によれば、シャシー１５とフロントケース１との組み立てを、上部側の凸起２３と凹溝２４による係合と、下部側のねじ２１による２箇所のねじ止めとの両方で行うことにより、図１の上部側の２箇所のねじ止め構造が不要となり、構造が簡略化され、部品点数および製造、組立工数を削減することができる。
【００２０】
（実施の形態３）
次に、本発明の実施の形態３について説明する。本実施の形態３における携帯無線装置は、上記実施の形態１に示した携帯無線装置と基本的な構成は同様であるので、同様な構成要素には同じ符号を付して重複した説明は省略し、異なる部分についてのみ説明する。
【００２１】
図４は本実施の形態３における携帯無線装置の横断面図を示し、シャシー１５の長手方向に沿う両側壁１５ｃ、１５ｄの基部外側には、側壁１５ｃ、１５ｄの端面側に向けて断面三角形状の楔形の係合部２５が部分的に形成され（図１に符号２５で示す）、この側壁１５ｃ、１５ｄに対向するフロントケース１の側壁１ｃ、１ｄの内側には、係合部２５とは反対向きの同じ形状の被係合部２６が形成されている。シャシー１５をフロントケース１に組み立てる際に、この係合部２５を被係合部２６に嵌め込むことにより、シャシー１５が外側に開くのを防止することができる。なお、この係合部２５と被係合部２６の形状は、食い違い状に噛み合うならば、他の形状でもよい。
【００２２】
このように、本実施の形態３によれば、シャシー１５の長手方向に沿う両側壁１５ｃ、１５ｄの基部外側にその端面側に向けて突出形成された楔形の係合部２５と、フロントケース１の対向する両側壁１ｃ、１ｄの部分に係合部２５とは反対向きに形成された同じ楔形の被係合部２６とを備えているので、シャシー１５とフロントケース１を組み立てた時に両側壁に形成された係合部２５と被係合部２６との食い違い状の噛み合いにより防水を効果的に行うことができる。また、携帯無線装置の使用時や落下時において、電池パック２２がフロントケース１の側壁１ｃ、１ｄを外側に押し広げようとする力が加わっても、係合部２５と被係合部２６の食い違い状の噛み合いによりシャシー１５が外側に開くのを防止することができ、電池パック２２の側面との合わせ面に段差が生じることがなくなり、外観的な品質を維持することができる。
【００２３】
（実施の形態４）
次に、本発明の実施の形態４について説明する。本実施の形態４における携帯無線装置は、上記実施の形態１に示した携帯無線装置と基本的な構成は同様であるので、同様な構成要素には同じ符号を付して重複した説明は省略し、異なる部分についてのみ説明する。
【００２４】
本実施の形態４における携帯無線装置は、図４に示すように、フロントケース１の４つの側壁を含む内側面全体に導電膜層２７をめっき、真空蒸着、塗装等により形成したものである。これにより、導電性のシャシー１５とフロントケース１の導電膜層２７とが接触するので、携帯無線装置の内部が導電性部材により密閉されることになる。
【００２５】
このように、本実施の形態４によれば、導電性のシャシー１５とフロントケース１の導電膜層２７とで携帯無線装置内部を密閉状にシールドすることができるので、携帯無線装置内部の回路基板８から発生する電磁波ノイズが外部に漏れるのを防ぐことができ、外部の電子機器に悪影響が及ぶのを防止することができる。
【００２６】
【発明の効果】
以上説明したように、本発明の携帯無線装置は、電子部品を実装した回路基板と、四方に側壁を有して一方の開放した面に回路基板が取り付けられる箱型形状のシャシーと、四方に側壁を有してシャシーの開放した面を外側から覆う箱型形状のフロントケースと、フロントケース内の底面の周囲に形成された凹溝内に装着されて、前記シャシーの各側壁の端面により押圧されるシールリングとを備えているので、電子部品から発生する熱をシャシーの各側壁からフロントケースの各側壁を通じて外部の空気中に効率的に放散できるとともに、携帯無線装置の落下等によりフロントケースの側壁が開いても、フロントケース内の底部に配置されたシールリングにより、シャシーとフロントケースとの間の防水を効果的に維持することができ、装置の信頼性を向上させることができる。
【図面の簡単な説明】
【図１】本発明の実施の形態１における携帯無線装置の構成を示す分解斜視図
【図２】本発明の実施の形態１における携帯無線装置の縦断面図
【図３】本発明の実施の形態２における携帯無線装置の縦断面図
【図４】本発明の実施の形態３および４における携帯無線装置の横断面図
【図５】本発明に係る携帯無線装置の外観を示す斜視図
【図６】従来例における携帯無線装置の構成を示す分解斜視図
【図７】従来例における携帯無線装置の縦断面図
【符号の説明】
１　フロントケース
２　取付ボス
３　アンテナコネクタ
４　アンテナコネクタ用の開口
５　ボタンスイッチ用の開口
６　防水リング用の凹溝
７　防水リング
８　回路基板
９　接片
１０　ボタンスイッチ
１１　パワーアンプ
１２　取付穴
１３　取付穴
１４　ねじ
１５　シャシー
１６　アンテナコネクタ固定用のねじ穴
１７　ボタンスイッチ用の通し穴
１８　防水パッキン
１９　取付ボス
２０　取付ボス
２１　ねじ
２２　電池パック
２３　凸起
２４　凹溝
２５　係合部
２６　被係合部
２７　導電膜層
【図１】
2004088227.tif 000003
【図２】
2004088227.tif 000004
【図３】
2004088227.tif 000005
【図４】
2004088227.tif 000006
【図５】
2004088227.tif 000007
【図６】
2004088227.tif 000008
【図７】
2004088227.tif 000009